(57)【要約】【課題】  捻れや曲げに対しベースプレートの強度をアップすること。【解決手段】  ベースフレーム上に弾性材料よりなる４個のインシュレータを介して４点で支持され、主面（１１１）と裏面（１１２）とを持ち、中央部に略矩形の開孔（１１ａ）を持つ前記ベースプレート（１１）を備えた機構ユニット（１０Ａ）において、ベースプレートの裏面（１１２）に配置されたウェイト（１８Ａ）は、ベースプレートの両側端間に延在して、ベースプレートの両側端に取り付けられる。これにより、ベースプレートの構造を箱型とした。【選択図】      図２
2006012291.tif 000002
【特許請求の範囲】
【請求項１】
光ディスクを再生または記録する光ディスク駆動装置に用いられる機構ユニットであって、ベースフレーム上に弾性材料よりなる４個のインシュレータを介して４点で支持されるベースプレートであって、主面と裏面とを持ち、中央部に略矩形の開孔を持つ前記ベースプレートと、該ベースプレートの主面上に配置され、前記光ディスクをディスククランパとの間に挟持して回転させるターンテーブルと、前記ベースプレートの開孔に配置されて前記光ディスクを再生又は記録するための光ピックアップと、前記ベースプレートの開孔に配置されて、前記光ピックアップを前記光ディスクの半径方向にガイドするガイド機構と、前記ベースプレートの裏面に配置され、前記ターンテーブルを回転させるスピンドルモータと、前記ベースプレートの裏面に配置され、前記光ピックアップを駆動するスレッドモータとを有する、光ディスク駆動装置の機構ユニットにおいて、
前記ベースプレートの裏面に配置され、前記ベースプレートの両側端間に延在して、前記ベースプレートの両側端に取り付けられるウェイトを備え、前記ベースプレートの構造を箱型としたことを特徴とする、光ディスク駆動装置の機構ユニット。
【請求項２】
前記ウェイトは、前記４点の支点の中心が前記機構ユニットの重心と実質的に一致するように配置されている、特許請求の範囲第１項に記載の光ディスク駆動装置の機構ユニット。
【請求項３】
前記ウェイトが器形状をし、前記ベースプレートがフラットな形状をしている、請求項１又は請求項２に記載の光ディスク駆動装置の機構ユニット。
【請求項４】
前記ウェイトは、前記ベースプレートの主面と平行に延在し、かつ前記ベースプレートの幅より若干短い幅を持つ主表面と、該主表面の両側端から上方へ折り曲げられた一対の側面と、該一対の側面から外方向へ直角に折り曲げられて、前記ベースプレートに取り付けられる一対の取付け部とを有する、請求項３に記載の光ディスク駆動装置の機構ユニット。
【請求項５】
前記主表面は、一方の側面側が他方の側面側と比較して前記スピンドルモータの側へ長く延在した形状をしている、請求項４に記載の光ディスク駆動装置の機構ユニット。
【請求項６】
前記ベースプレートが器形状をし、前記ウェイトがフラットな形状をしている、
請求項１又は請求項２に記載の光ディスク駆動装置の機構ユニット。
【請求項７】
請求項１乃至６のいずれか１つに記載の機構ユニットを備えた光ディスク駆動装置。
【発明の詳細な説明】
【技術分野】
【０００１】
本発明は、光ディスクを再生または記録・再生する光ディスク駆動装置に関し、特に、光ディスク駆動装置の機構ユニットに関する。
【背景技術】
【０００２】
光ディスク駆動装置は、ＤＶＤ（digital versatile disc）等の光ディスクを再生または記録・再生するための装置である。尚、ＤＶＤには、デジタル・ビデオ用のＤＶＤ−Video、音楽用のＤＶＤ−Audio、パソコンなどの外部記憶装置用のＤＶＤ−ＲＯＭ、追記型のＤＶＤ−Ｒ（Recordable）、書き換え可能なＤＶＤ−ＲＡＭなどがある。
【０００３】
この種の光ディスク駆動装置は、例えば、特許文献１に開示されているように、装置本体と、この装置本体に光ディスクを搬送するディスクトレイとを有する。装置本体は、硬質樹脂等で形成されたシャーシと、このシャーシに搭載される機構ユニットとを含む。シャーシは、ディスクトレイを出し入れし、且つ機構ユニットを上下方向に移動させるローディング機構を有する。
【０００４】
図１は、従来の光ディスク駆動装置の機構ユニット１０を裏面側から見た斜視図である。機構ユニット１０は、ベースフレーム（図示せず）上に弾性材料よりなる４個のインシュレータ（図示せず）を介して支持されるベースプレート１１を有する。図示のベースプレート１１はフラットな形状をしている。
【０００５】
ベースプレート１１には、概略、光ディスク（図示せず）をディスククランパ（図示せず）との間に挟持して回転させるターンテーブル１２と、光ディスクを再生又は記録・再生するための光ピックアップ１３と、光ピックアップ１３を光ディスクの半径方向にガイドするガイド機構１４と、ターンテーブル１２を回転させるスピンドルモータ１５と、ギア機構（図示せず）を介して光ピックアップ１３を駆動するスレッドモータ１６とを有する。
【０００６】
ベースプレート１１は、その四隅で上述した４個のインシュレータをそれぞれ取り付けるための４つのインシュレータ取付け部１７を持つ。したがって、機構ユニット１０は４点で支持されている。
【０００７】
このような機構ユニット１０では、スピンドルモータ１５は６，０００ｒｐｍ又はそれ以上の高速回転数で回転する。そのため、スピンドルモータ１５が高速で回転すると、機構ユニット１０が振動するという問題がある。
【０００８】
そこで、従来の機構ユニット１０においては、振動を軽減するために、ベースプレート１１の裏面の両側端に複数枚のウェイト１８をネジ１９によって取付けている。ここで、両側端には、それぞれ、同じ重量のウェイト１８を５枚重ねたものを使用して、ウェイト１８の総重量は４０〜５０ｇである。そして、ウェイト１８を含めた機構ユニット１０の重量は３２０ｇである。尚、１枚のウェイト１８の厚さは、ベースプレート１１の厚さと同じ１．２ｍｍである。
【０００９】
尚、このウェイト１８を搭載することによって、上記４点の支点の中心が機構ユニット１０の重心と実質的に一致するように調整される。
【００１０】
【特許文献１】特開２００３−２１７２１０号公報
【発明の開示】
【発明が解決しようとする課題】
【００１１】
このような構造を有する従来の機構ユニット１０では、スペースが限られているので、ウェイト１８の重量をアップするにも限度がある。また、単にベースプレート１１の裏面の両側端に複数枚のウェイト１８を搭載しているだけなので、ベースプレート１１を捻る力や曲げる力に対してはベースプレート１１を強化する役目を果たさない。
【００１２】
したがって、本発明の目的は、捻れや曲げに対しベースプレートの強度をアップすることができる、光ディスク駆動装置の機構ユニットを提供することにある。
【００１３】
本発明の他の目的は、説明が進むにつれて明らかになるだろう。
【課題を解決するための手段】
【００１４】
本発明によれば、光ディスクを再生または記録・再生する光ディスク駆動装置に用いられる機構ユニット（１０Ａ，１０Ｂ）であって、ベースフレーム上に弾性材料よりなる４個のインシュレータを介して４点で支持されるベースプレートであって、主面（１１１）と裏面（１１２）とを持ち、中央部に略矩形の開孔（１１ａ）を持つ前記ベースプレート（１１）と、該ベースプレートの主面上に配置され、前記光ディスクをディスククランパとの間に挟持して回転させるターンテーブル（１２）と、前記ベースプレートの開孔に配置されて前記光ディスクを再生又は記録・再生するための光ピックアップ（１３）と、前記ベースプレートの開孔に配置されて、前記光ピックアップを前記光ディスクの半径方向にガイドするガイド機構（１４）と、前記ベースプレートの裏面に配置され、前記ターンテーブルを回転させるスピンドルモータ（１５）と、前記ベースプレートの裏面に配置され、前記光ピックアップを駆動するスレッドモータ（１６）とを有する、光ディスク駆動装置の機構ユニットにおいて、前記ベースプレートの裏面に配置され、前記ベースプレートの両側端間に延在して、前記ベースプレートの両側端に取り付けられるウェイト（１８Ａ，１８Ｂ）を備え、前記ベースプレートの構造を箱型としたことを特徴とする、光ディスク駆動装置の機構ユニットが得られる。
【００１５】
上記光ディスク駆動装置の機構ユニットにおいて、前記ウェイト（１８Ａ，１８Ｂ）は、前記４点の支点の中心が前記機構ユニットの重心と実質的に一致するように配置されることが好ましい。また、前記ウェイト（１８Ａ，１８Ｂ）が器形状をし、前記ベースプレートがフラットな形状をしていて良い。この場合、前記ウェイト（１８Ａ，１８Ｂ）は、前記ベースプレートの主面と平行に延在し、かつ前記ベースプレートの幅より若干短い幅を持つ主表面（１８１；１８１Ａ）と、該主表面の両側端から上方へ直角に折り曲げられた一対の側面（１８２；１８２Ａ）と、該一対の側面から外方向へ直角に折り曲げられて、前記ベースプレートに取り付けられる一対の取付け部（１８３；１８３Ａ）とを有するものであって良い。また、前記主表面（１８１Ａ）は、一方の側面側が他方の側面側と比較して前記スピンドルモータの側へ長く延在した形状をしていて良い。代わりに、前記ベースプレートが器形状をし、前記ウェイトがフラットな形状をしていても良い。
【００１６】
尚、上記括弧内の参照符号は、理解を容易にするために付したものであり、一例に過ぎず、これらに限定されないのは勿論である。
【発明の効果】
【００１７】
本発明では、ベースプレートの裏面に配置されるウェイトを、ベースプレートの両側端間に延在して、ベースプレートの両側端に取り付ける構成とし、ベースプレートの構造を箱型としたので、捻れや曲げに対してベースプレートの強度をアップすることができる。
【発明を実施するための最良の形態】
【００１８】
図２乃至図８を参照して、本発明の第１の実施の形態に係る光ディスク駆動装置の機構ユニット１０Ａについて説明する。図示の光ディスク駆動装置の機構ユニット１０Ａは、後述するように、ウェイトの形状（構造）が相違している点を除いて、図１に図示した従来の光ディスク駆動装置の機構ユニット１０と同様の構成を有し同様の作用をする。従って、ウェイトに１８Ａの参照符号を付してある。また、従来の光ディスク駆動装置の機構ユニット１０の構成要素と同様の機能を有するものには同一の参照符号を付す。
【００１９】
図２は光ディスク駆動装置の機構ユニット１０Ａを裏面側から見た斜視図である。図３は光ディスク駆動装置の機構ユニット１０Ａを表面側から見た斜視図である。図４は光ディスク駆動装置の機構ユニット１０Ａの分解斜視図である。図５において、（Ａ）は機構ユニット１０Ａの平面図、（Ｂ）は機構ユニット１０Ａの正面図、（Ｃ）は機構ユニット１０Ａの背面図、（Ｄ）は機構ユニット１０Ａの左側面図、（Ｅ）は機構ユニット１０Ａの右側面図、（Ｆ）は機構ユニット１０Ａの底面図である。図６は機構ユニット１０Ａに用いられるウェイト１８Ａを斜め上方から見た斜視図である。図７はウェイト１８Ａを斜め下方から斜視図である。図８において、（Ａ）はウェイト１８Ａの平面図、（Ｂ）はウェイト１８Ａの正面図、（Ｃ）はウェイト１８Ａの背面図、（Ｄ）はウェイト１８Ａの左側面図、（Ｅ）はウェイト１８Ａの右側面図である。
【００２０】
図示の光ディスク駆動装置の機構ユニット１０Ａは、光ディスク（図示せず）を再生または記録・再生する光ディスク駆動装置に用いられる機構ユニットである。機構ユニット１０Ａは、ベースフレーム（図示せず）上に弾性材料よりなる４個のインシュレータ（図示せず）を介して４点で支持されるベースプレート１１を有する。図４に図示されるように、ベースプレート１１はフラットな形状を有する。ベースプレート１１は、主面１１１と裏面１１２とを持ち、中央部に略矩形の開孔１１ａを持つ。
【００２１】
ベースプレート１１の主面１１１上にはターンテーブル１２が配置されている。このターンテーブル１１は、光ディスクをディスククランパ（図示せず）との間に挟持して回転させるためのものである。ベースプレート１１の開孔１１ａには光ピックアップ１３が配置されている。光ピックアップ１３は、光ディスクを再生又は記録・再生するためのものである。ベースプレート１１の開孔１１ａにはガイド機構１４が配置されている。ガイド機構１４は、光ピックアップ１３を光ディスクの半径方向にガイドするためのものである。ベースプレート１１の裏面１１２にはスピンドルモータ１５が配置されている。スピンドルモータ１５は、ターンテーブル１２を回転させるためのものある。ベースプレート１１の裏面１１２にはスレッドモータ１６が配置されている。スレッドモータ１６は、光ピックアップ１３を駆動するためのものである。
【００２２】
ウェイト１８Ａは、ベースプレート１１の裏面１１２に配置されている。ウェイト１８Ａは、ベースプレート１１の両側端間に延在して、ベースプレート１１の両側端に取り付けられる。
【００２３】
図２に図示されるように、ウェイト１８Ａはベースプレート１１の裏面１１２上にスピンドルモータ１５が搭載されている側とは反対側に配置される。
【００２４】
ウェイト１８Ａは、ベースプレート１１の主面１１１と平行に延在し、かつベースプレート１１の幅より若干短い幅を持つ主表面１８１と、この主表面１８１の両側端から上方へ直角に折り曲げられた一対の側面１８２と、これら一対の側面１８２から外方向へ直角に折り曲げられて、ベースプレート１１に取り付けられる一対の取付け部１８３とを有する。尚、図示の例では、ウェイト１８Ａの厚さは、ベースプレート１１の厚さと同じである。とにかく、ウェイト１８Ａは、ベースプレート１１の両側端間に延在する器形状をしている。
【００２５】
主表面１８１には、光ピックアップ１３から引き出されるフレキシブルプリント回路（ＦＰＣ）（図示せず）を通すための矩形の開孔１８１ａと、スレッドモータ１６の一部を突出させるための矩形の開孔１８１ｂと、ガイド機構１４をベースプレート１１に固定するための固定部材の一部を突出させるための一対の円形の開孔１８１ｃとが空けられている。一方の側面１８２には、スレッドモータ１６へ電力を供給するためのフレキシブルプリント回路（ＦＰＣ）１６１を通すための矩形の開孔１８２ａが空けられている。
【００２６】
一対の取付け部１８３の各々には、４つの孔１８３ａが空けられている。その中の両端側の２つの孔はネジ１９を通過させための孔であり、中央にある孔は位置決め用の孔である。尚、ベースプレート１１には、これら２つの位置決め用孔と対応する位置に、位置決め用の突起が形成されている。
【００２７】
このような構造のウェイト１８Ａは、その両側端で、一対の取付け部１８３において、４本のネジ１９によってベースプレート１１に取り付けられ、固定される。
【００２８】
このウェイト１８Ａをベースプレート１１の裏面１１２上に搭載することによって、上記４点の支点の中心が機構ユニット１０Ａの重心と実質的に一致するように調整される。
【００２９】
このように、ウェイト１８Ａが器形状をしているので、ベースプレート１１の構造が箱型になる。その結果、捻れや曲げに対してベースプレート１１の強度をアップすることができる。
【００３０】
図示の実施の形態では、ウェイト１８Ａは、光ピックアップ１３よりも下方に配置されている。これにより、他の部品に制約を与える事無く、ウェイト１８Ａの配置位置を広範囲に選択出来る。これにより、機構ユニット１０Ａの重心位置の微調整等の設計の自由度が増すと共に、ウェイト１８Ａの重量アップが図れる。
【００３１】
図９および図１０を参照して、本発明の第２の実施の形態に係る光ディスク駆動装置の機構ユニット１０Ｂについて説明する。図示の光ディスク駆動装置の機構ユニット１０Ｂは、後述するように、ウェイトの形状（構造）が相違している点を除いて、図２乃至図８に図示した光ディスク駆動装置の機構ユニット１０Ａと同様の構成を有し同様の作用をする。従って、ウェイトに１８Ｂの参照符号を付してある。また、光ディスク駆動装置の機構ユニット１０Ａの構成要素と同様の機能を有するものには同一の参照符号を付して、説明の簡略化のためにそれらの説明については省略する。
【００３２】
図９は光ディスク駆動装置の機構ユニット１０Ｂの底面図である。図１０は機構ユニット１０Ｂに用いられるウェイト１８Ｂを示す図で、（Ａ）はウェイト１８Ｂの底面図、（Ｂ）はウェイト１８Ｂの正面図、（Ｃ）はウェイト１８Ｂの背面図、（Ｄ）はウェイト１８Ｂの左側面図、（Ｅ）はウェイト１８Ｂの右側面図である。
【００３３】
ウェイト１８Ｂでは、主表面１８１Ａが一方の側面側が他方の側面側と比較してスピンドルモータ１５の側へ長く延在した形状をしている。それに関連して、一方の側面１８２Ａが他方の側面１８２より長くなっており、一方の取付け部１８３Ａも他方の取付け部１８３よりも長くなっている。
【００３４】
一方の取付け部１８３Ａには、４つの孔１８３ａが空けられている。その中の両端側の２つの孔はネジ１９を通過させための孔であり、中央にある孔は位置決め用の孔である。他方の取付け部１８３には、３つの孔１８３ｂが空けられている。その中の両端側の２つの孔はネジ１９を通過させるための孔であり、中央にある１つの孔は位置決め用の孔である。尚、ベースプレート１１には、これら２つの位置決め用孔と対応する位置に、位置決め用の突起が形成されている。
【００３５】
このような構造のウェイト１８Ｂでは、第１の実施の形態に係るウェイト１８Ａに比較して、その重量を重くすることができる。
【００３６】
このウェイト１８Ｂをベースプレート１１上に搭載することによって、上記４点の支点の中心が機構ユニット１０Ｂの重心と実質的に一致するように調整される。
【００３７】
このように、ウェイト１８Ｂが器形状をしているので、ベースプレート１１の構造が箱型になる。その結果、捻れや曲げに対してベースプレート１１の強度をアップすることができる。
【００３８】
図示の実施の形態では、ウェイト１８Ｂは、光ピックアップ１３の下方に配置されている。これにより、他の部品に制約を与える事無く、ウェイト１８Ｂの配置位置を広範囲に選択出来る。これにより、機構ユニット１０Ｂの重心位置の微調整等の設計の自由度が増し、機構ユニットの重心位置を振動が抑えられる個所へ移動することができると共に、ウェイト１８Ｂの重量アップが図れる。
【００３９】
以上、本発明についてその好ましい実施の形態によって説明してきたが、本発明の精神を逸脱しない範囲内で、種々の変形が当業者によって可能であるのは明らかである。例えば、上述した実施の形態では、器形状のウェイトをフラットな形状のベースプレートに取り付けることによって、ベースプレートの構造を箱型にしているが、ベースプレートを器形状にし、それにフラットな形状のウェイトを取り付けることによって、ベースプレートの構造を箱型にしても良い。とにかく、ウェイトがベースプレートの両側端まで延在する形状を有していれば良い。
【図面の簡単な説明】
【００４０】
【図１】従来の光ディスク駆動装置の機構ユニットを裏面側から見た斜視図である。
【図２】本発明の第１の実施の形態に係る光ディスク駆動装置の機構ユニットを裏面側から見た斜視図である。
【図３】図２に示す光ディスク駆動装置の機構ユニットを表面側から見た斜視図である。
【図４】図２に示す光ディスク駆動装置の機構ユニットの分解斜視図である。
【図５】図２に示す光ディスク駆動装置の機構ユニットを示す図で、（Ａ）は機構ユニットの平面図、（Ｂ）は機構ユニットの正面図、（Ｃ）は機構ユニットの背面図、（Ｄ）は機構ユニットの左側面図、（Ｅ）は機構ユニットの右側面図、（Ｆ）は機構ユニットの底面図である。
【図６】図２に示す光ディスク駆動装置の機構ユニットに用いられるウェイトを斜め上方から見た斜視図である。
【図７】図６に示すウェイトを斜め下方から斜視図である。
【図８】図２に示すウェイトを示す図で、（Ａ）はウェイトの平面図、（Ｂ）はウェイトの正面図、（Ｃ）はウェイトの背面図、（Ｄ）はウェイトの左側面図、（Ｅ）はウェイトの右側面図である。
【図９】本発明の第２の実施の形態に係る光ディスク駆動装置の機構ユニットの底面図である。
【図１０】図９に示す光ディスク駆動装置の機構ユニットに用いられるウェイトを示す図で、（Ａ）はウェイトの底面図、（Ｂ）はウェイトの正面図、（Ｃ）はウェイトの背面図、（Ｄ）はウェイトの左側面図、（Ｅ）はウェイトの右側面図である。
【符号の説明】
【００４１】
１０Ａ，１０Ｂ    機構ユニット
１１    ベースプレート
１１１    主面
１１２    裏面
１１ａ    開孔
１２    ターンテーブル
１３    光ピックアップ
１４    ガイド機構
１５    スピンドルモータ
１６    スレッドモータ
１８，１８Ａ    ウェイト
１８１，１８１Ａ    主表面
１８２，１８２Ａ    側面
１８３，１８３Ａ    取付け部
【図１】
2006012291.tif 000003
【図２】
2006012291.tif 000004
【図３】
2006012291.tif 000005
【図４】
2006012291.tif 000006
【図５】
2006012291.tif 000007
【図６】
2006012291.tif 000008
【図７】
2006012291.tif 000009
【図８】
2006012291.tif 000010
【図９】
2006012291.tif 000011
【図１０】
2006012291.tif 000012